(57)【要約】【課題】一対の力布の端部をシートフレーム側に性能良く取付けることにある。【解決手段】乗物衝突時において、エアバッグ２０の膨張に伴う一対の力布３１，３２の引張にて破断部６ＳＸを破断させて開口させることで、エアバッグ２０がシート外に膨出可能な構成の乗物用シートにおいて、取付け部４０が、シートフレーム６Ｆ本体の配設箇所（１４ｂ）に設けられて、エアバッグ２０の未膨張時にシートフレーム６Ｆ本体から離間させて一対の力布３１，３２の他端を保持するとともに、取付け部４０に設けた阻止部５４にて、シートフレーム６Ｆ本体に形成されたエッジ状の部位（１４ｄ）と各力布３１，３２の接触を阻止する構成である。【選択図】図２
2016084080.tif 000002
【特許請求の範囲】
【請求項１】
シート骨格をなす平板状又は柱状のシートフレームと、前記シートフレームを被覆するシートカバーと、前記シートカバーに設けた破断部と、シート内のエアバッグと、帯状の一対の力布とを備え、
前記一対の力布を、前記シートカバーの裏面側で前記エアバッグを囲うように設けるに際して、各力布の一端側を前記破断部に取付けるとともに、前記各力布の他端側を、取付け部を介して前記シートフレームに取付け、
乗物衝突時において、前記エアバッグの膨張に伴う前記一対の力布の引張にて前記破断部を破断させて開口させることで、前記エアバッグがシート外に膨出可能な構成の乗物用シートにおいて、
前記取付け部が、前記シートフレーム本体の配設箇所に設けられて、前記エアバッグの未膨張時に前記シートフレーム本体から離間させて前記一対の力布の他端を保持するとともに、前記取付け部に設けた阻止部にて、前記シートフレーム本体に形成されたエッジ状の部位と前記各力布の接触を阻止する構成の乗物用シート。
【請求項２】
前記乗物用シートが、シート外形をなして乗員を弾性的に支持するシートパッドを有するとともに、前記シートパッドが、乗員の着座が可能な中央の天板メイン部と、前記天板メイン部の側方で着座側に突出する天板サイド部とを有し、前記シートパッドを、前記シートフレーム本体上に配置しつつ前記シートカバーで被覆するに際して、前記天板サイド部が、前記シートフレーム本体に支持される構成とされ、
前記取付け部が、前記配設箇所から離れるに従って、前記天板メイン部から前記天板サイド部に向かう方向に次第に傾斜した状態とされて設けられる請求項１に記載の乗物用シート。
【発明の詳細な説明】
【技術分野】
【０００１】
本発明は、シートフレームと、シートカバーと、シート内のエアバッグと、一対の力布を備えた乗物用シートに関する。
【背景技術】
【０００２】
この種の乗物用シートとして、シートフレームと、シートパッドと、シートカバーと、エアバッグと、展開力集中カバーを備えた乗物用シートが公知である（特許文献１を参照）。シートフレームは、シート骨格をなす金属製の枠体であり、側部骨格をなす部分が平板状（断面視で略横Ｕ字状）である。またシートパッドは、シート外形をなす部材（典型的に発泡樹脂製）である。またシートカバーは、シートパッドを被覆する袋状の部材であり、他の部分に比して開裂しやすい縫い目が着座側に形成される。そしてエアバッグは、エアの流入又はガスの供給により膨張可能な袋体であり、シートフレームに取付けられてシート側部内でシートパッドの裏面側に配置する。
【０００３】
そして展開力集中カバーは、一対の帯状部材（本発明の力布に相当）と、フック（略Ｊ字状の樹脂部材）を有する。公知技術では、一対の帯状部材を、それぞれシートカバーの裏面側でシート前後に延長しつつ、エアバッグを囲うように設ける。このとき一方の帯状部材を、エアバッグよりもシート内側に配置して、その一端側を、シートカバーの着座側（縫い目付近）に取付ける。また他方の帯状部材を、エアバッグよりもシート外側に配置して、その一端側を、同様に縫い目付近に取付ける。そして一対の帯状部材でエアバッグを囲いながら、これらの他端側を、シート前後方向で見てエアバッグの後側（平板状のシートフレームの近接位置）に導く。この状態で各帯状部材の他端に取付けられたフックを掛け合わせる（端部同士を互いに係止する）ことで、展開力集中カバーをシート側部内に配設できる。
【０００４】
公知技術では、乗物衝突時に、シート内のエアバッグが膨張しつつ、シートカバー（着座側の縫い目）を開裂させてシート外に膨出する。このとき展開力集中カバーの張引にて、シートカバーの縫い目を開裂（開口）させることにより、エアバッグをシート外に膨出させることができる。
【先行技術文献】
【特許文献】
【０００５】
【特許文献１】米国特許第５９６７６０３号明細書
【発明の概要】
【発明が解決しようとする課題】
【０００６】
ところで公知技術では、一対の帯状部材（力布）を平板状のシートフレームに近接配置する。そして各帯状部材の他端（端部）は、フックを介して他端同士が互いに係止されてシートフレームに対して非取付け状態で配置することから、シートフレームに対して接触及び離間可能な構成である。このため公知技術の構成は、シートフレームと各帯状部材の端部が接触及び離間を繰返すなどして、シート性能にやや劣る構成となりがちであった。すなわち上記構成では、シートフレームとフックが互いに接触及び離間する際に異音（ぶつかり音等）が発生するおそれがあった。また帯状部材本体が、シートフレームの端部（エッジ状の平板部分）に勢いよく接触して破損するおそれがあった。本発明は上述の点に鑑みて創案されたものであり、本発明が解決しようとする課題は、一対の力布の端部をシートフレームに性能良く取付けることにある。
【課題を解決するための手段】
【０００７】
上記課題を解決するための手段として、第１発明の乗物用シートは、シート骨格をなす平板状又は柱状のシートフレームと、シートフレームを被覆するシートカバーと、シートカバーに設けた破断部と、シート内のエアバッグと、帯状の一対の力布とを備える。本発明では、一対の力布を、シートカバーの裏面側でエアバッグを囲うように設けるに際して、各力布の一端側を破断部に取付けるとともに、各力布の他端側を、取付け部を介してシートフレームに取付ける。そして乗物衝突時において、エアバッグの膨張に伴う一対の力布の引張にて破断部を破断させて開口させることで、エアバッグがシート外に膨出可能となる。この種の構成では、一対の力布の端部をシートフレーム側に性能良く取付けられることが望ましい。
【０００８】
そこで本発明では、取付け部が、シートフレーム本体の配設箇所に設けられて、エアバッグの未膨張時にシートフレーム本体から離間させて一対の力布の他端を保持するとともに、取付け部に設けた阻止部にて、シートフレーム本体に形成されたエッジ状の部位と各力布の接触を阻止する構成である。本発明では、一対の力布の他端を、シートフレームに設けられた取付け部にてシートフレーム本体から離間させて保持する。こうすることでシートフレーム本体と各力布の端部（例えば端部側の樹脂部材）の接触離間が原因の異音発生を好適に抑制できる。また取付け部の阻止部にて、各力布が、シートフレーム本体のエッジ状の部位（例えば平板部分の端部や柱の角部分で形成される比較的鋭利な部位）に接触して破損することを好適に抑制できる。
【０００９】
第２発明の乗物用シートは、第１発明の乗物用シートであって、シート外形をなして乗員を弾性的に支持するシートパッドを有する。またシートパッドが、乗員の着座が可能な中央の天板メイン部と、天板メイン部の側方で着座側に突出する天板サイド部とを有する。そしてシートパッドを、シートフレーム本体上に配置しつつシートカバーで被覆するに際して、天板サイド部が、シートフレーム本体に支持される構成とされる。そこで本発明では、取付け部が、配設箇所から離れるに従って、天板メイン部から天板サイド部に向かう方向に次第に傾斜した状態とされて設けられる。本発明では、取付け部を、天板サイド部側に傾斜させて天板メイン部側に極力突出させない構成としたことで、天板メイン部における乗員の沈み込みを極力邪魔しない構成とすることができる。
【発明の効果】
【００１０】
本発明に係る第１発明によれば、一対の力布の端部を、それぞれシートフレームに性能良く取付けることができる。また第２発明によれば、一対の力布の端部を、それぞれシートフレームにさらに性能良く取付けることができる。
【図面の簡単な説明】
【００１１】
【図１】乗物用シートの斜視図である。
【図２】図１のＩＩ−ＩＩ線断面に相当するシートバックの一部拡大断面図である。
【図３】取付け部の拡大断面図である。
【図４】取付け部と力布の一部分解斜視図である。
【図５】変形例１に係る取付け部と力布の一部拡大断面図である。
【図６】変形例２に係る取付け部と力布の一部拡大斜視図である。
【発明を実施するための形態】
【００１２】
以下、本発明を実施するための形態を、図１〜図６を参照して説明する。図１及び図２には、適宜、乗物用シート前方に符号Ｆ、乗物用シート後方に符号Ｂ、乗物用シート上方に符号ＵＰ、乗物用シート下方に符号ＤＷを付す。図１の乗物用シート２は、シートクッション４と、シートバック６と、ヘッドレスト８を有する。これらシート構成部材は、各々、シート骨格をなすシートフレーム４Ｆ，６Ｆ，８Ｆと、シート外形をなすシートパッド４Ｐ，６Ｐ，８Ｐと、シートパッドを被覆するシートカバー４Ｓ，６Ｓ，８Ｓを有する。そしてシートクッション４の後部にシートバック６が起倒可能に連結するとともに、シートバック６（起立状態）の上部にヘッドレスト８が配設される。
【００１３】
［シートバック］
シートバック６は、基本構成（６Ｆ，６Ｐ，６Ｓ）と、エアバッグ２０と、関連構成（一対の力布３１，３２、破断部６ＳＸ、取付け部４０）を有する（図１及び図２を参照、各部等の詳細は後述）。そして乗物衝突時において、エアバッグ２０を、シートバック６側部（破断部６ＳＸ）からシート外に膨出させて乗員側部を保護する。このときエアバッグ２０が、シートパッド６Ｐを部分的に破断しながら、破断部６ＳＸを開口させてシート外に膨出する。
【００１４】
そして一対の力布３１，３２（詳細後述）にて破断部６ＳＸを破断させて開口させることにより、エアバッグ２０を破断部６ＳＸからより確実に膨出させる（図２を参照）。このとき一対の力布３１，３２を、シートカバー６Ｓの裏面側でエアバッグ２０を囲むように設けつつ、各力布３１，３２の両端部を、それぞれシートカバー６Ｓとシートフレーム６Ｆに取付ける。この種の構成では、各力布３１，３２の端部（後述の他端）を、シートフレーム６Ｆに性能良く取付けられることが望ましい。そこで後述の構成（取付け部４０）にて、一対の力布３１，３２の端部を、それぞれシートフレーム６Ｆに性能良く取付けることとした。以下、各構成について詳述する。
【００１５】
［基本構成］
シートフレーム６Ｆ本体（以下、単にシートフレーム６Ｆと呼ぶこともある）は、アーチ状の枠部材であり、剛性に優れる素材（金属や硬質樹脂等）にて形成できる（図１及び図２を参照）。シートフレーム６Ｆは、上部骨格をなすアッパフレーム１２（略逆Ｕ字状のパイプ材）と、側部骨格をなす一対のサイドフレーム１４を有する。そして一対のサイドフレーム１４は、それぞれ平板状の部材（上下方向に長尺）であり、シートバック起立時を基準としてシート側部で対面状に配置する。各サイドフレーム１４は、略横Ｕ字状（横断面視）をなしており、本体部分（１４ａ）の各端に、第一屈曲部１４ｂ（後述の取付け部４０の配設箇所）と、第二屈曲部１４ｃが形成される（図２を参照）。第一屈曲部１４ｂ（比較的長尺）は、シート後部側に配置しており、その端部側（エッジ状の部位１４ｄ）が、後述の第一力布３１の配置位置に向けて突出する。また第二屈曲部１４ｃ（比較的短尺）は、シート前部側に配置しており、その端部側が、シートパッド６Ｐの裏面側に向けて突出する。
【００１６】
またシートパッド６Ｐは、シート外形をなして乗員を弾性的に支持可能な部材であり、例えばポリウレタンフォーム（密度：１０ｋｇ／ｍ3〜６０ｋｇ／ｍ3）等の発泡樹脂で形成できる（図２を参照）。シートパッド６Ｐは、略矩形状（正面視）をなしており、天板メイン部６ａと、天板サイド部６ｂ（膨出部６ＰＸ）と、スリットＷ１，Ｗ２を有する（図２を参照）。天板メイン部６ａは、シートパッド６Ｐ中央の平坦な部位であり、乗員の着座（背もたれ）が可能である。また天板サイド部６ｂは、天板メイン部６ａの側方で着座側に突出する部位であり、例えばコーナリング走行時に乗員の側部を支持できる。そして天板サイド部６ｂの着座側（頂部付近）には、他の部位に比して薄肉化された膨出部６ＰＸが形成されており、シートカバー６Ｓの破断部６ＳＸ（後述）に対面状に配置する。そして天板メイン部６ａと天板サイド部６ｂの間と、天板サイド部６ｂの側部には、それぞれシートパッド６Ｐ内外を連通するスリットＷ１，Ｗ２が設けられている。スリットＷ１，Ｗ２には、各力布３１，３２（後述）が挿通され、その配置箇所の途中に配置する。
【００１７】
またシートカバー６Ｓは、シートパッド６Ｐを被覆可能な袋状の部材であり、エアバッグ２０の膨出箇所となる破断部６ＳＸを有する（図１及び図２を参照）。そしてシートカバー６Ｓは、複数の表皮ピース（ＳＰ１〜ＳＰ３）を縫合して形成されており、隣り合う表皮ピースは互いに縫合されている。ＳＥＷ１とＳＥＷ２は縫合部を示す。第一表皮ピースＳＰ１は、天板メイン部６ａを被覆するピースである。また第二表皮ピースＳＰ２は、天板サイド部６ｂの着座側を被覆するピースである。そして第三表皮ピースＳＰ３は、天板サイド部６ｂの側面から後側を被覆するピースである。なお各表皮ピースの素材として、天然繊維又は合成繊維からなる布帛（織物，編物，不職布）や皮革（天然皮革，合成皮革）を例示できる。そして破断部６ＳＸは、他のシートカバー部分よりも脆弱な部位であり、エアバッグ２０の膨張時に破断して開口する。破断部６ＳＸは、第二表皮ピースＳＰ２と第三表皮ピースＳＰ３の縫合部ＳＥＷ２であり、天板サイド部６ｂの着座側（頂点付近）においてシート上下方向に延長する（図１を参照）。
【００１８】
［エアバッグ］
ここでエアバッグ２０（未膨張状態）は、シート上下方向に長尺な略立方体状の部材であり、シートバック６の側部内に配設される（図１及び図２を参照）。エアバッグ２０を、サイドフレーム１４（本体部分１４ａ）にボルト止めなどの手法で固定してシート側面に配置したのち、シートパッド６Ｐ（天板サイド部６ｂ）で被覆する。そしてエアバッグ２０が、乗物衝突時の衝撃を受けてシート外に膨出することにより、例えば乗員胸部から乗員腰部にかけての身体範囲を保護する。なおエアバッグ２０内には、ガス供給装置が配置されている。ガス供給装置（インフレータ）にはガス発生剤又は高圧ガスが封入されている。
【００１９】
［一対の力布］
一対の力布（第一力布３１，第二力布３２）は、それぞれ帯状の部材である（図２及び図４を参照）。ここで各力布３１，３２の素材は特に限定しないが、エアバッグ２０の膨張（圧力）では破損しない程度の剛性を備えることが好ましく、典型的にはシートカバー６Ｓよりも伸び難い布帛製である。各力布３１，３２は、一端側が、シートカバー６Ｓに縫合されて、他端側に係止部材３４ａ，３４ｂを有する。係止部材３４ａ，３４ｂは、それぞれ断面視で略Ｊ字状の平板部材（樹脂製）であり、後述するサイドフレーム１４の取付け部４０に係止可能である。そして後述するように各力布３１，３２を、シートカバー６Ｓの裏面側でエアバッグ２０を囲むように配設する。このとき各力布３１，３２の一端側が、シートカバー６Ｓの着座側に取付けられ、他端側（係止部材３４ａ，３４ｂ）が、後述の取付け部４０を介してサイドフレーム１４の第一屈曲部１４ｂに取付けられる。
【００２０】
［取付け部］
取付け部４０は、一対の力布３１，３２の端部（他端）を、それぞれサイドフレーム１４の第一屈曲部１４ｂに取付けるための構成である（図２〜図４を参照）。取付け部４０は、平板状の樹脂部材（正面視で略矩形）であり、一対の係止部（第一係止部４１，第二係止部４２）と、把持部（５１，５２）と、阻止部５４を有する。第一係止部４１は、取付け部４０（一面４０ａ側）から突出する略Ｌ字状の部位であり、先端に返し部４１ａが設けられて、第一力布３１の他端（係止部材３４ａ）を係止可能である（図３及び図４を参照）。第一係止部４１は、取付け部４０（一面４０ａ）の途中から突出したのちその一端４０ｃ側に向けて屈曲することで形成される。また第二係止部４２は、取付け部４０の一端４０ｃ側に設けられた略逆Ｕ字状の部位（外面が湾曲状）であり、先端に返し部４２ａが設けられて、第二力布３２の他端（係止部材３４ｂ）を係止可能である。第二係止部４２は、取付け部４０の一端４０ｃから延長した部分が他面４０ｂ側で折返し状に湾曲することで形成される。
【００２１】
また把持部（５１，５２）は、サイドフレーム１４の第一屈曲部１４ｂ（配設箇所）に取付け可能な部位であり、取付け部４０の他端４０ｄ側に形成される（図２〜図４を参照）。把持部は、取付け部４０他端の略Ｕ字状（断面視）の部位であり、第一屈曲部１４ｂを圧入可能な部位（第一把持部位５１，第二把持部位５２）を有する。第一把持部位５１と第二把持部位５２は、互いに離れる方向に撓み変形可能な可撓性を有して、第一屈曲部１４ｂの厚み寸法よりも小さい隙間をあけて対面状に配置する。そして第一把持部位５１は、比較的長尺な平板部位であり、取付け部４０の取付け状態を基準として第一屈曲部１４ｂの外面側に配置する。また第二把持部位５２は、比較的短尺な平板部位であり、同取付け状態を基準として第一屈曲部１４ｂの内面側に配置する。そして第一把持部位５１は、その内面途中に凹み部位５１ａ（薄肉な部位）が形成され、先端側が、第二把持部位５２に近づく向きに突出する（図３を参照）。また同様に第二把持部位５２も、その内面途中に凹み部位５２ａが形成され、先端側が、第一把持部位５１に向けて突出する。なお取付け状態の把持部（５１，５２）は、第一屈曲部１４ｂに沿って上下方向にスライド移動することは許容される。
【００２２】
ここで把持部（５１，５２）は、取付け部４０の他端４０ｄから延長した部分を、その他面４０ｂ側に屈曲させることで形成できる（図２及び図３を参照）。そして把持部（５１，５２）の屈曲角度θを適宜調節して、取付け部４０の一端４０ｃ側を、後述する取付け状態においてサイドフレーム１４から適度に離間させて配置する（図２を参照）。このとき取付け状態の取付け部４０を、サイドフレーム１４寄りに配置して、天板メイン部６ａ側に過度に突出させない構成とすることが好ましい。例えば取付け部４０の取付け状態において、取付け部４０が、第一屈曲部１４ｂ（配設箇所）から離れるに従って、天板メイン部６ａから天板サイド部６ｂに向かう方向に次第に傾斜した状態とされてサイドフレーム１４寄りに配置する。このとき各係止部４１，４２が、サイドフレーム１４内（両屈曲部１４ｂ，１４ｃの先端を結ぶ仮想線ＶＬよりもサイドフレーム１４の内側）に配置することが好ましい。
【００２３】
そして阻止部５４は、第一屈曲部１４ｂの端部（エッジ状の部位１４ｄ）と第一力布３１の接触を阻止する部位である（図２〜図４を参照）。阻止部５４は、取付け部４０の他端４０ｄ側の部分（特に第一把持部位５１そのもの）で形成されており、取付け部４０の取付け状態を基準として、第一屈曲部１４ｂの端部（エッジ状の部位１４ｄ）を被覆した状態で配置する。なお阻止部５４（第一把持部位５１）の外面形状は、第一力布３１を破損させないようにエッジ状の部分がない形状であることが好ましく、典型的に湾曲状又はＲ付けした屈曲状である。
【００２４】
［シートバックの組立作業］
図２を参照して、シートパッド６Ｐを、シートフレーム６Ｆ上に配置してシートカバー６Ｓで被覆しつつ、関連構成（破断部６ＳＸ，膨出部６ＰＸ、各力布３１，３２、取付け部４０）を適宜の位置に配設する。このとき天板メイン部６ａをシートフレーム６Ｆ内に配置しつつ、天板サイド部６ｂを、サイドフレーム（第二屈曲部１４ｃ）上に配置してそれに支持させる。またサイドフレーム１４に取付けられたエアバッグ２０を天板サイド部６ｂにて被覆しながら、膨出部６ＰＸを、エアバッグ２０の前方（着座側）に配置する。つぎに天板サイド部６ｂをシートカバー６Ｓで被覆しながら、破断部６ＳＸ（縫合部ＳＥＷ２）を天板サイド部６ｂの頂点付近に配置する。
【００２５】
また上述の作業に先立って、一対の力布３１，３２を、シートカバー６Ｓの裏面側でエアバッグ２０を囲うように配設する。このとき第一力布３１と第二力布３２の一端側を、それぞれシートカバー６Ｓの着座側に配置しつつ、破断部６ＳＸ（縫合部ＳＥＷ２）に共縫いして取付ける。そして第一力布３１を、天板サイド部６ｂの外側面（エアバッグ２０よりもシート外方の部分）に沿って配置しつつ、その途中（スリットＷ１）からシートパッド６Ｐの裏面側に導く。また第二力布３２を、天板サイド部６ｂの内側面（エアバッグ２０よりもシート内方の部分）に沿って配置しつつ、天板メイン部６ａと天板サイド部６ｂの間（スリットＷ２）からシートパッド６Ｐの裏面側に導く。こうして一対の力布３１，３２を、エアバッグ２０を囲うように配置しつつ、これらの他端側を、シート前方から後方に導きながらそれぞれサイドフレーム１４（後部）に取付ける。この種の構成では、力布３１，３２の各他端をサイドフレーム１４に性能良く（例えば異音発生や力布の破損を好適に阻止できるように）取付けられることが望ましい。
【００２６】
そこで取付け部４０によって、各力布３１，３２の他端をシートフレーム６Ｆから離間させて保持することとした。すなわち取付け部４０の一端４０ｃ側を、サイドフレーム１４内に配置しつつ、取付け部４０の他端４０ｄ側（把持部５１，５２）をサイドフレーム１４の第一屈曲部１４ｂに圧入する。このとき各把持部位５１，５２が互いに離間する向きに撓んだのち、元の状態に戻ることで第一屈曲部１４ｂを弾性的に押圧しつつ把持する。こうして両把持部位５１，５２で第一屈曲部１４ｂを把持することで、取付け部４０を、サイドフレーム１４の第一屈曲部１４ｂ（配設箇所）に取付ける。そして取付け部４０の一端４０ｃ側（各係止部４１，４２）が、サイドフレーム１４から離間して配置することとなる。
【００２７】
そして第一力布３１を、サイドフレーム１４の後面側から取付け部４０に沿って引き込みながら、係止部材３４ａ（第一力布３１の他端）を第一係止部４１に係止する。係止部材３４ａは、その先端側が第一係止部４１の返し部４１ａに係止される。このとき第一屈曲部１４ｂの端部（エッジ状の部位１４ｄ）が阻止部５４にて被覆状態とされて、第一力布３１との接触が好適に阻止される。また第二力布３２を、サイドフレーム１４の内方に引き込みながら、係止部材３４ｂ（第二力布３２の他端）を第二係止部４２に係止する。係止部材３４ｂは、他の係止部材３４ａとは逆向きとされて、その先端側が第二係止部４２の返し部４２ａに係止される。こうして取付け部４０が、シートフレーム６Ｆの第一屈曲部１４ｂに設けられて、一対の力布３１，３２の他端をシートフレーム６Ｆから離間させて保持する。このため通常走行時（エアバッグ未膨張時）などにおいて、サイドフレーム１４と各力布３１，３２の他端が互いに離間して配置することで、これらの接触が原因の異音発生を好適に阻止できる。また取付け部４０の阻止部５４にて、第一力布３１が、第一屈曲部１４ｂの端部（エッジ状の部位１４ｄ）に接触して破損することを好適に阻止することができる。
【００２８】
［エアバッグの挙動］
図２を参照して、乗物衝突時において、エアバッグ２０をシート外に膨出させて乗員側部を保護する。このときエアバッグ２０が、天板サイド部６ｂの着座側に向けて膨張しつつ膨出部６ＰＸを突き破りながらシートカバー６Ｓ側に膨出する。そしてエアバッグ２０周りの一対の力布３１，３２が緊張して破断部６ＳＸを開裂（開口）させることにより、エアバッグ２０をシート外に膨出させる。このとき一対の力布３１，３２の他端が、取付け部４０にてサイドフレーム１４に比較的強固に連結される。このため各力布３１，３２の緊張状態が好適に維持されて、破断部６ＳＸを素早く開裂させて開口状態とすることができる（エアバッグ２０の展開速度向上に資する構成である）。
【００２９】
ところで上述のシート構成では、乗物衝突時において、天板メイン部６ａに乗員が押し付けられてシートパッド６Ｐに沈み込むことがある。このときシート内の部材（例えば取付け部４０）が、乗員の沈み込みを極力阻害しないことが望まれる。そこで取付け部４０が、第一屈曲部１４ｂ（配設箇所）から離れるに従って、天板メイン部６ａから天板サイド部６ｂに向かう方向に次第に傾斜した状態とされて設けられる。こうして取付け部４０を、天板サイド部６ｂ側に傾斜させて天板メイン部６ａ側に極力突出させない構成としたことで、天板メイン部６ａにおける乗員の沈み込みを極力阻害しない構成とすることができる。また各係止部４１，４２が、サイドフレーム１４内（仮想線ＶＬよりも内側）に配置することで、乗員の押圧が原因（例えば沈み込んだシートパッドとの接触が原因）の係止部材３４ａ，３４ｂの係脱を好適に回避できる。
【００３０】
以上説明したとおり、一対の力布３１，３２の他端を、シートフレーム６Ｆに設けられた取付け部４０にてシートフレーム６Ｆから離間させて保持する。こうすることで取付け部４０にて、シートフレーム６Ｆと各力布３１，３２の端部（例えば係止部材３４ａ，３４ｂ）の接触離間が原因の異音発生を好適に抑制できる。また取付け部４０の阻止部５４にて、第一力布３１が、第一屈曲部１４ｂの端部（エッジ状の部位１４ｄ）に接触することを好適に抑制できる。さらに取付け部４０を、天板サイド部６ｂ側に傾斜させて天板メイン部６ａ側に極力突出させない構成としたことで、天板メイン部６ａにおける乗員の沈み込みを極力邪魔しない構成とすることができる。このため一対の力布３１，３２の端部を、それぞれシートフレーム６Ｆに性能良く取付けることができる。
【００３１】
［変形例１］
ここで取付け部の構成は、上述の構成のほか、各種の構成を取り得る。例えば図５に示す変形例１の取付け部４０Ａでは、第一把持部位６１の内面と第二把持部位６２の内面が略平坦とされる（凹み部が省略される）。このため把持部（６１，６２）にて、第一屈曲部１４ｂを安定感よく把持することができる（取付け安定性に優れる構成である）。
【００３２】
［変形例２］
また各力布３１，３２の他端は、対応する係止部４１，４２に直接（係止部材を介することなく）係止することもできる。例えば図６に示す変形例２では、各力布３１，３２の他端に、対応する係止部を挿入可能な孔部３１Ｈ，３２Ｈを形成する。各孔部３１Ｈ，３２Ｈは、対応する力布３１，３２をその厚み方向に貫通する貫通孔であり、その周縁に補強部材７０（輪状の金属部材）が嵌装される。本変形例では、係止部材を用いることなく、各力布３１，３２の他端を、対応する係止部４１，４２にそれぞれ安定感良く係止することができる（比較的シンプルな構成である）。
【００３３】
本実施形態の乗物用シートは、上述した実施形態に限定されるものではなく、その他各種の実施形態を取り得る。例えば取付け部４０の構成（形状，寸法，配設位置，配設数等）を例示したが、同部の構成を限定する趣旨ではない。取付け部は、シートフレームと一体の構成でもよく、この場合の取付け部は金属製でもよい。そして取付け部が、シートフレーム本体（本体部分と両屈曲部）から力布の他端を離間させて保持することとなる。また取付け部は、力布の配置位置等を考慮して、シートフレームの適宜の位置（例えば本体部分、第一屈曲部、第二屈曲部の少なくとも一つの配設箇所）に設けることができる。そして取付け部は、取付け状態において天板メイン部側に突出していてもよい。なお取付け部の途中にヒンジ部を設けて、乗員の沈み込み時に、シートフレーム側に曲げ変形させることもできる。また取付け部の途中に脆弱な箇所（薄肉部）を設けて、乗員の沈み込み時に途中で破損する構成とすることもできる。また各力布の一端側は、破断部そのものに取付けてもよく、破断部を破断可能である限りその周囲に取付けることもできる。
【００３４】
また係止部４１，４２と把持部５１，５２と阻止部５４の構成を例示したが、これら各部は、シート構成に応じて適宜変更可能である。例えば係止部の構成は、力布の端部の構成（係止部材）に応じて適宜変更可能であり、力布の端部を取外し不能に取付けることもできる。そして把持部の構成も、シートフレームに応じて適宜変更可能である。例えば把持部に突出部を設けて、シートフレームの孔部に挿入係止する構成としてもよい。そして阻止部の構成も、シートフレームや他の各部の構成に応じて適宜変更可能であり、例えば把持部とは異なる構成であってもよい。
【００３５】
またシートフレーム６Ｆの構成を例示したが、同部の構成を限定する趣旨ではない。例えば柱状のシートフレームの場合、その角部がエッジ状の部位となる。そして柱状のシートフレーム形状に応じて、それを保持可能なように取付け部の把持部の構成を適宜変更できる。
【００３６】
また乗物用シート２の構成（シート構成部材，エアバッグ等）の構成は適宜変更可能である。例えばエアバッグは、シート構成部材の適宜の位置に配設できる。また力布の構成（形状，寸法，配設位置，配設数等）も、エアバッグの配設位置等に応じて適宜変更可能である。また専らシートバックを一例に説明したが、本実施形態の構成は、シートクッション等の各種シート構成部材に適用可能である。そして本実施形態の構成は、車両や航空機や電車等の乗物用シート全般に適用可能である。
【符号の説明】
【００３７】
２     乗物用シート
４     シートクッション
６     シートバック
８     ヘッドレスト
６Ｆ   シートフレーム
６Ｐ   シートパッド
６Ｓ   シートカバー
６ＳＸ 破断部
６ＰＸ 膨出部
１２   アッパフレーム
１４   サイドフレーム
１４ｂ 第一屈曲部（取付け部の配設箇所）
１４ｄ エッジ状の部位
２０   エアバッグ
３１   第一力布
３２   第二力布
３４ａ，３４ｂ  係止部材
４０   取付け部
４１，４２  係止部
５１，５２  把持部位（把持部）
５４   阻止部
【図１】
2016084080.tif 000003
【図２】
2016084080.tif 000004
【図３】
2016084080.tif 000005
【図４】
2016084080.tif 000006
【図５】
2016084080.tif 000007
【図６】
2016084080.tif 000008